(57)【要約】【課題】  設置作業性に優れ、十分な強度を有し、使用部材の繰り返し利用も可能な仮設桟橋および仮設桟橋の施工方法を提供する。【解決手段】  仮設桟橋１は、河川等の水中（水上）に構築される。水中の地盤には鉛直方向に支持杭３が設けられる。支持杭３は、地盤から水面１５上方まで形成される。支持杭３の上方には、作業等を行う場所となる上部工１３が形成される。支持杭３の鉛直方向には所定間隔で梁部材７が設けられる。梁部材７は水平方向に支持杭３と接合される。支持杭３の間であって、水面１５下方（水面１５近傍）においては、補強部材９が設けられる。補強部材９は、略矩形の枠部１７と、枠部１７の対角線上に形成された方杖部１９等を有する。補強部材９は、高強度繊維補強コンクリート製である。【選択図】図１
2011162988.tif 000002
【特許請求の範囲】
【請求項１】
水上に設置される仮設桟橋であって、
水中地盤に設置された支持杭と、
前記支持杭の上に設置される上部工と、
を具備し、
隣り合う前記支持杭の互いの対向面にはガイドが設けられ、
前記ガイドには、高強度繊維補強コンクリート製の補強部材がスライド挿入されていることを特徴とする仮設桟橋。
【請求項２】
水面下方においては前記支持杭の間には前記補強部材が設置され、
水面上方においては前記支持杭の間には鋼製の方杖が設けられることを特徴とする請求項１記載の仮設桟橋。
【請求項３】
前記ガイドの所定位置にはストッパが設けられており、前記補強部材は、前記ストッパの位置で保持されることを特徴とする請求項１または請求項２に記載の仮設桟橋。
【請求項４】
前記補強部材は、矩形の枠部を有することを特徴とする請求項１から請求項３のいずれかに記載の仮設桟橋。
【請求項５】
前記補強部材は、前記支持杭に対して斜め方向の方杖部が形成されることを特徴とする請求項１から請求項４のいずれかに記載の仮設桟橋。
【請求項６】
前記補強部材は、水平方向または鉛直方向に複数分割された部材が接合されて形成されることを特徴とする請求項１から請求項５のいずれかに記載の仮設桟橋。
【請求項７】
仮設桟橋の施工方法であって、
水中地盤にガイドを有する支持杭を設ける工程と、
隣り合う前記支持杭の前記ガイドに、上方または側方から高強度繊維補強コンクリート製の補強部材をスライド挿入し、水中の前記支持杭の間に前記補強部材を設置する工程と、
前記支持杭の上方に上部工を設置するとともに、水面上方の前記支持杭の間に方杖を設ける工程と、
を具備することを特徴とする仮設桟橋の施工方法。
【発明の詳細な説明】
【技術分野】
【０００１】
本発明は、河川や海洋等の水上に設置される作業用の仮設桟橋および架設桟橋の施工方法に関するものである。
【背景技術】
【０００２】
従来、河川や海洋等の水上に作業用の仮設桟橋が設置されて用いられる。仮設桟橋は、所定の作業が終了後に撤去される。したがって、仮設桟橋は、作業時には、上部工を支え、水流や風等に対抗するだけの強度が必要であるとともに、使用後には容易に撤去できる構造が望まれる。
【０００３】
このような仮設桟橋としては、例えば、地盤に埋設された複数の脚で支持され、下部脚と、着脱可能な連結手段を介して下部脚で連結された上部脚とで構成された（特許文献１）。
【先行技術文献】
【特許文献】
【０００４】
【特許文献１】特開２００１−３３６１３０号公報
【発明の概要】
【発明が解決しようとする課題】
【０００５】
しかし、特許文献１のような従来の仮設桟橋は、河川や海洋など水流のある場所に設置されるが、水中または水面近傍においては水平方向に水の流れによる力を受けるため、水平方向の力に対する補強が必要である。しかし、水中での方杖等の接合作業は作業性も悪く、危険である
【０００６】
また、仮設桟橋は、作業終了後に解体されるため、特許文献１のように着脱可能な連結手段等によって連結されているが、従来の仮設桟橋は解体後には部材の劣化等によって複数回の利用はできない。
【０００７】
本発明は、このような問題に鑑みてなされたもので、設置作業性に優れ、十分な強度を有し、使用部材の繰り返し利用も可能な仮設桟橋および仮設桟橋の施工方法を提供することを目的とする。
【課題を解決するための手段】
【０００８】
前述した目的を達成するため、第１の発明は、水上に設置される仮設桟橋であって、水中地盤に設置された支持杭と、前記支持杭の上に設置される上部工と、を具備し、隣り合う前記支持杭の互いの対向面にはガイドが設けられ、前記ガイドには、高強度繊維補強コンクリート製の補強部材がスライド挿入されていることを特徴とする仮設桟橋である。
【０００９】
水面下方においては前記支持杭の間には前記補強部材が設置され、水面上方においては前記支持杭の間には鋼製の方杖が設けられてもよい。
【００１０】
前記ガイドの所定位置にはストッパが設けられており、前記補強部材は、前記ストッパの位置で保持されてもよい。
【００１１】
前記補強部材は、矩形の枠部を有してもよい。
【００１２】
前記補強部材は、前記支持杭に対して斜め方向の方杖部が形成されてもよい。
【００１３】
前記補強部材は、水平方向または鉛直方向に複数分割された部材が接合されて形成されてもよい。
【００１４】
第１の発明によれば、支持杭にガイドが形成され、ガイドに高強度繊維補強コンクリート製の補強部材がスライド挿入されるため、補強部材の設置が容易であるとともに、補強部材が高強度繊維補強コンクリートであるため、錆び等の問題もなく、補強部材の再利用も可能である。
【００１５】
特に、補強部材を水面下方に設置するため、水流等に対して十分な強度を有し、水面上方においては、安価な鋼製の方杖を設けることで、設置作業性にも優れ、効率のよい仮設桟橋を得ることができる。
【００１６】
また、補強部材が設けられるガイドにはストッパが設けられるため、補強部材が確実にストッパの位置で保持される。このため、補強部材の設置が容易である。
【００１７】
また、補強部材が枠部を有すれば、設置作業性がよく、強度も高い。また、方杖が形成されれば、水平方向の強度がより高い。
【００１８】
また、補強部材が複数に分割された部材を接合されて形成されれば、部材を小型化でき、また、複数のサイズの部材を用意すれば、幅や高さの異なる支持杭間隔等に対応することができる。
【００１９】
第２の発明は、仮設桟橋の施工方法であって、水中地盤にガイドを有する支持杭を設ける工程と、隣り合う前記支持杭の前記ガイドに、上方または側方から高強度繊維補強コンクリート製の補強部材をスライド挿入し、水中の前記支持杭の間に前記補強部材を設置する工程と、前記支持杭の上方に上部工を設置するとともに、水面上方の前記支持杭の間に方杖を設ける工程と、を具備することを特徴とする仮設桟橋の施工方法である。
【００２０】
第２の発明によれば、簡易な作業で十分な強度を有する仮設桟橋を得ることができる。
【発明の効果】
【００２１】
本発明によれば、設置作業性に優れ、十分な強度を有し、使用部材の繰り返し利用も可能な仮設桟橋および仮設桟橋の施工方法を提供することができる。
【図面の簡単な説明】
【００２２】
【図１】仮設桟橋１を示す立面図。
【図２】補強部材９を示す図。
【図３】補強部材９とガイドとの関係を示す図で、（ａ）は図１のＡ−Ａ線断面図、（ｂ）は図１のＢ部における（ａ）のＣ−Ｃ線断面図。
【図４】仮設桟橋の設置方法を示す図。
【図５】仮設桟橋の設置方法を示す図で、補強部材９を挿入する状態を示す図。
【図６】補強部材の他の実施形態を示す図。
【図７】補強部材５０の設置例を示す図
【図８】補強部材９を複数段設置した状態を示す図。
【発明を実施するための形態】
【００２３】
以下、本発明の実施の形態にかかる仮設桟橋について説明する。図１は、本発明により構築された仮設桟橋を示す図である。
【００２４】
仮設桟橋１は、河川等の水中（水上）に構築される。水中の地盤には鉛直方向に支持杭３が設けられる。支持杭３は、地盤から水面１５上方まで形成される。支持杭３の上方には、作業等を行う場所となる上部工１３が形成される。
【００２５】
支持杭３の鉛直方向には所定間隔で梁部材７が設けられる。梁部材７は水平方向に支持杭３と接合される。支持杭３の間であって、水面１５下方（水面１５近傍）においては、補強部材９が設けられる。補強部材９については、詳細を後述する。
【００２６】
水面１５上方においては、支持杭３同士の間には方杖１１が設けられる。なお、仮設桟橋１の側面等においても同様の構成で補強部材９、梁部材７、方杖１１等が形成される。補強部材９および方杖１１は仮設桟橋１の水平方向の水流等の力に対抗するためのものである。梁部材７、支持杭３、方杖１１等は例えば鋼製である。
【００２７】
次に、補強部材９について説明する。図２は、補強部材９を示す図である。補強部材９は、略矩形の枠部１７と、枠部１７の対角線上に形成された方杖部１９等を有する。補強部材９は、高強度繊維補強コンクリート製である。
【００２８】
高強度繊維補強コンクリートは、特殊な鋼繊維を混入した高強度繊維補強コンクリートで、設計基準強度は驚異の１８０Ｎ/ｍｍ２（普通コンクリートの５〜８倍）、曲げ強度３０Ｎ/ｍｍ２を有する。特殊鋼繊維の混入により引張応力を負担することができるため、構造物に鉄筋を配置する必要がない。また、自己充填性が高く、耐久性に優れるため、部材を極限まで薄くすることができる。
【００２９】
図３は、補強部材９の設置構造を示す図であり、図３（ａ）は図１のＡ−Ａ線断面図であり、図３（ｂ）は、図１におけるＢ部における図３（ａ）のＣ−Ｃ線断面図である。補強部材９は支持杭３に設けられるガイド２１ａ、２１ｂの間に設けられる。ガイド２１ａ、２１ｂは、例えばＨ鋼である支持杭３のウェブおよびフランジのいずれかにＬ字型のアングル等により形成される。ガイド２１ａ、２１ｂは、隣り合う支持杭３同士の間に形成され、補強部材９はガイド隣り合う支持杭３にそれぞれ形成されたガイド２１ａ、２１ｂにスライド挿入される。なお、ガイド２１ａ、２１ｂは支持杭３の長手方向等にあらかじめ溶接等で形成される。
【００３０】
図３（ｂ）に示すように、ガイド２１ａ（または２１ｂ）の所定位置には、ガイド内にストッパ２３が設けられる。すなわち、補強部材９をガイド２１ａ、２１ｂに挿入すると、補強部材９はストッパ２３位置で保持される。したがって、補強部材９の設置部位（高さ）にあらかじめストッパ２３を設けておけばよい。なお、ガイド２１ａ、２１ｂは、鉛直方向に設けられた例を示したが、水平方向に設けても良い。この場合、水平方向に設けられたガイド２１ａ、２１ｂに対し、水平方向に補強部材９を挿入すればよい。補強部材９を水平方向に挿入する場合には、ガイド２１ａ、２１ｂにストッパ２３を水平方向に形成すればよい。
【００３１】
次に、仮設桟橋１の施工方法を説明する。まず、図４に示すように、仮設桟橋の設置位置において、水中の地盤５に鉛直方向に支持杭３を設置する。支持杭３には、ガイド２１ａ、２１ｂおよびストッパ２３をあらかじめ形成しておく。支持杭３の鉛直方向の所定位置には梁部材７を接合する。
【００３２】
次に、支持杭３に形成されたガイド２１ａ、２１ｂ等に補強部材９を上方からスライド挿入する（図中矢印Ｄ方向）。前述の通り、ガイド２１ａ、２１ｂの所定位置にはストッパ２３が形成されるため、補強部材９は、ストッパ２３位置で保持される。なお、隣り合うガイドに形成されたストッパ２３の高さが異なり、補強部材９がまっすぐに保持されない場合には、ストッパ２３の上部（ストッパ２３と補強部材９との間）に高さ調整部材（ストッパ２３に接合される板部材またはブロック部材等）を挟み込むことで、補強部材９を水平に設置することができる。なお、補強部材９は、少なくとも水面１５よりも下方の位置に形成されればよい。なお、補強部材９が水面下方に設置されるとは、少なくとも補強部材９の下端が水面したに位置することを意味し、補強部材９の上端が水面上に露出する場合も含むものである。
【００３３】
補強部材９の設置後、水面１５上方の支持杭３間を方杖１１で接合し、上方に上部工１３を形成すれば、仮設桟橋１が構築される。
【００３４】
本実施の形態にかかる仮設桟橋１によれば、水中における支持杭３間の水平方向の力を受け持つ部位（補強部材９）が、水上からスライド挿入することができるため、水中で方杖等を支持杭３に接合する必要がない。また、補強部材９は、高強度繊維補強コンクリート製であるため、水中での設置に対して腐食等により劣化することがなく、解体も容易であるとともに、解体後の補強部材９を他の仮設桟橋に再利用することも可能である。
【００３５】
また、補強部材９はガイドに挿入するのみであり、また、ストッパ２３によって所定位置に保持されるため、確実に水平方向の力を受け持つことができる。
【００３６】
次に、補強部材の他の実施例について説明する。図６は、補強部材の他の実施例を示す図である。なお、以下に説明する各種の補強部材は、全て高強度繊維補強コンクリート製である。図６（ａ）に示すように、補強部材として、枠部１７のみを有する補強部材３０を用いても良い。略矩形の枠部１７のみで構成される補強部材３０も、同様に、仮設桟橋の補強部材として使用することができる。枠部１７のみであれば、補強部材３０の開口面積を大きくすることできるため、水流等の抵抗を受けにくくなる。
【００３７】
また、図６（ｂ）に示すように、枠部をなくし、方杖部２９のみで構成される補強部材４０を用いることもできる。補強部材４０を方杖部１９のみとすることで、軽量化が可能であるとともに、支持杭３の水平方向の傾きに対して十分な強度を得ることができる。
【００３８】
また、図６（ｃ）に示すように、枠部１７を有する複数の補強部材５０ａ、５０ｂ、５０ｃを接合して一体の補強部材５０を形成しても良い。補強部材５０ａ、５０ｂ、５０ｃはそれぞれバンド等の連結部材５１によって連結される。
【００３９】
図７は、複数の補強部材を連結した補強部材５０の使用状態を示す図である。図７に示すように、例えば、３枚の小型の補強部材を連結して、Ｗ１の幅を有する補強部材５０としても良い。この場合、例えば、小型の補強部材として、幅の異なるものを組み合わせることで、幅を容易に変更することもできる。例えば、図７においては、中央の補強部材を幅広のものを適用すれば、全体としてＷ２幅の補強部材５０を得ることができる。
【００４０】
したがって、支持杭３が完全に一定間隔で形成されない場合においても、全ての幅に対応する補強部材を製造する必要がなく、数種類の幅違いの部材を形成すれば、それらを組み合わせて各種幅の補強部材５０を形成することができる。
【００４１】
なお、図７においては、幅方向に複数の部材を連結して補強部材５０を構築したが、高さ方向に複数の部材を連結して補強部材５０を構築しても良い。この場合、複数種類の高さの補強部材５０を得ることができ、設置部位や仮設桟橋の形状等に応じて部材を組みわせれば良い。
【００４２】
なお、水中において高さ方向に補強部材を複数設置する場合には、それぞれの補強部材ごとにストッパ２３を形成する必要はない。例えば、図８に示すように、下方の補強部材９がガイドに設けられたストッパによって保持され、上方の補強部材９は下方の補強部材９の上方に直接設置しても良い。
【００４３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４４】
１………仮設桟橋
３………支持杭
５………地盤
７………梁部材
９、３０、４０、５０………補強部材
１１………方杖
１３………上部工
１５………水面
１７………枠部
１９………方杖部
２１ａ、２１ｂ………ガイド
２３………ストッパ
５１………連結部材
【図１】
2011162988.tif 000003
【図２】
2011162988.tif 000004
【図３】
2011162988.tif 000005
【図４】
2011162988.tif 000006
【図５】
2011162988.tif 000007
【図６】
2011162988.tif 000008
【図７】
2011162988.tif 000009
【図８】
2011162988.tif 000010